(57)【要約】【課題】連通路で連結した上下に位置する各タンク本体内に洗浄水を貯留する際の異音の発生を防止することができる便器洗浄タンクを提供する。【解決手段】便器洗浄タンク７０は、便鉢部１１を有する便器本体１０に供給する洗浄水を貯留する。便器洗浄タンク７０は、空気が通過する通気口７１Ａを設けた第１タンク本体７１と、この第１タンク本体７１よりも下方に位置し、洗浄水の流入口７２Ａ及び流出口７２Ｂを設けた第２タンク本体７２と、第１タンク本体７１と第２タンク本体７２とを連通する連通路７３とを備えている。【選択図】図２
2014196634.tif 000002
【特許請求の範囲】
【請求項１】
便鉢部を有する便器本体に供給する洗浄水を貯留する便器洗浄タンクであって、
空気が通過する通気口を設けた第１タンク本体と、
この第１タンク本体よりも下方に位置し、洗浄水の流入口及び流出口を設けた第２タンク本体と、
前記第１タンク本体と前記第２タンク本体とを連通する連通路とを備えていることを特徴とする便器洗浄タンク。
【請求項２】
前記流入口は前記第２タンク本体の底面に開口していることを特徴とする請求項１記載の便器洗浄タンク。
【請求項３】
前記便器本体に洗浄水を供給する際、前記連通路を通過することができる洗浄水の流量が前記流出口から流出する洗浄水の最大流量よりも多いことを特徴とする請求項１又は２記載の便器洗浄タンク。
【発明の詳細な説明】
【技術分野】
【０００１】
本発明は便器洗浄タンクに関する。
【背景技術】
【０００２】
特許文献１は従来の便器洗浄タンクを開示している。この便器洗浄タンクは便鉢部を有する便器本体に供給する洗浄水を貯留する。この便器洗浄タンクは、上方が開口した一つのタンク本体を備えており、便器本体から後方に延びたフレームに吊下げられている。このようにして、この便器洗浄タンクは、便器本体より後方であって、便器本体の上面より下方に配置することができる（図１〜図１３参照）。このため、この便器洗浄タンクを便器本体に取付けた水洗式大便器はローシルエットにすることができる。
【先行技術文献】
【特許文献】
【０００３】
【特許文献１】特開２００８−８２０３２号公報
【発明の概要】
【発明が解決しようとする課題】
【０００４】
水洗式便器の小型化を図る場合、便鉢部の大きさを小さくすることができないため、便器本体を小型化することに限界がある。このため、水洗式便器の小型化を図る場合、便器本体の後方に配置する便器洗浄タンク等を小型化することになる。この場合、特許文献１の便器洗浄タンクでは、タンク本体の貯水量が少なくなり、便器洗浄を良好に行えないおそれがある。
【０００５】
そこで、水洗式便器を小型化しつつ、便器洗浄を良好に行うことができる必要十分な洗浄水量をタンク本体に貯留するためには次の手段が考えられる。その手段は便鉢部の下方等に存在する複数の空き空間を利用してタンク本体を配置し、洗浄水の貯水量を確保することである。この場合、便器本体の構造等によって、タンク本体を複数に分割し、分割したタンク本体の夫々を連通路で連結することが想定され得る。
【０００６】
ここで、連通路で連結したタンク本体の夫々が上下に位置し、上側に位置する第１タンク本体に流入口を設け、下側に位置する第２タンク本体に流出口を設けた場合、洗浄水を流入口から流入させて第１タンク本体及び第２タンク本体に貯留する際に次の不具合が懸念される。つまり、このような便器洗浄タンクにおいて、流入口から流入する洗浄水の流量（流量とは単位時間に流れる水量をいう。以下同じ）が、連通路を通過することができる洗浄水の流量よりも多いと、連通路が洗浄水で封鎖され、第２タンク本体内の空気が閉じ込められた状態になる。この状態で第２タンク本体への洗浄水の流入が継続し、第２タンク本体内の水位が上昇すると、第２タンク本体内に閉じ込められた空気が、連通路を流れる洗浄水の流れに逆らって、第２タンク本体から第１タンク本体側へ移動し、ボコボコという異音が発生する。
【０００７】
本発明は、上記従来の実情に鑑みてなされたものであって、連通路で連結した上下に位置する各タンク本体内に洗浄水を貯留する際の異音の発生を防止することができる便器洗浄タンクを提供することを解決すべき課題としている。
【課題を解決するための手段】
【０００８】
本発明の便器洗浄タンクは、便鉢部を有する便器本体に供給する洗浄水を貯留する便器洗浄タンクであって、
空気が通過する通気口を設けた第１タンク本体と、
この第１タンク本体よりも下方に位置し、洗浄水の流入口及び流出口を設けた第２タンク本体と、
前記第１タンク本体と前記第２タンク本体とを連通する連通路とを備えていることを特徴とする。
【０００９】
この便器洗浄タンクは、第１タンク本体よりも下方に位置する第２タンク本体に洗浄水の流入口を設けたため、洗浄水を貯留する際、第２タンク本体内に先ず洗浄水が流入して第２タンク本体内の水位が上昇する。そして、第２タンク本体が洗浄水で満水になると連通路を介して第１タンク本体内に洗浄水が流入する。第２タンク本体及び第１タンク本体の水位が上昇するに伴い、第２タンク本体内及び第１タンク本体内の空気は第１タンク本体に設けた通気口を介して外部に排出される。このため、この便器洗浄タンクは、第１タンク本体内の洗浄水が設定水位になるまで、スムーズに洗浄水を貯留することができる。
【００１０】
したがって、本発明の便器洗浄タンクは、連通路で連結した上下に位置する各タンク本体内に洗浄水を貯留する際の異音の発生を防止することができる。
【図面の簡単な説明】
【００１１】
【図１】実施例の水洗式便器を示す断面図である。
【図２】実施例の便器洗浄タンクを示す断面図である。
【図３】実施例の便器洗浄タンクであって、便器洗浄の待機状態を示す断面図である。
【図４】実施例の便器洗浄タンクであって、便器洗浄の開始直後を示す断面図である。
【図５】実施例の便器洗浄タンクであって、第１タンク本体内の水位が低下している状態を示す断面図である。
【図６】実施例の便器洗浄タンクであって、第２タンク本体に洗浄水が流入し始めた状態を示す断面図である。
【図７】実施例の便器洗浄タンクであって、第２タンク本体内の水位が上昇している状態を示す断面図である。
【図８】実施例の便器洗浄タンクであって、第１タンク本体内の水位が上昇している状態を示す断面図である。
【発明を実施するための形態】
【００１２】
本発明における好ましい実施の形態を説明する。
【００１３】
本発明の便器洗浄タンクにおいて、前記流入口は前記第２タンク本体の底面に開口し得る。この場合、第２タンク本体の底面から湧き出るように洗浄水が第２タンク本体内に流入する。このように、この便器洗浄タンクは、第２タンク本体内の上部から洗浄水が流入するものではないため、第２タンク本体内に洗浄水が流入する際に洗浄水の飛散を抑制し、洗浄水の流入音を小さくすることができる。
【００１４】
本発明の便器洗浄タンクにおいて、前記便器本体に洗浄水を供給する際、前記連通路を通過することができる洗浄水の流量が前記流出口から流出する洗浄水の最大流量よりも多くし得る。この場合、この便器洗浄タンクは、便器本体に洗浄水を供給する際、連通路を通過することができる洗浄水の流量が流出口から流出する洗浄水の最大流量よりも多いため、流出口から流出する第２タンク本体内の洗浄水の減少に応じて充分な流量で連通路を介して洗浄水が第２タンク本体内に補充される。このため、第１タンク本体内の洗浄水が連通路内に強力に引き込まれることなく、第１タンク本体内の水位が低下しても、第１タンク本体内の空気が第１タンク本体内の洗浄水と共に連通路内に引き込まれないため、ボコボコという異音が発生しない。
【００１５】
次に、本発明の便器洗浄タンクを備えた水洗式便器を具体化した実施例について、図面を参照しつつ説明する。
【００１６】
＜実施例＞
実施例の水洗式便器は、図１に示すように、便器本体１０、排水連結管３０、便座装置５０、及び便器洗浄タンク７０を備えている。便器本体１０は、便鉢部１１、便器排水路１２、上面部１３、及び外周壁部１４を有している。便鉢部１１は上部に形成した２つの吐水口（第１吐水口１５、第２吐水口（図示せず））を有している。第１吐水口１５は便鉢部１１の左側の前後方向（図１における左右方向）の中間部で前方向（図１において左方向）に開口している。第２吐水口は便鉢部１１の右側の後部で左方向に開口している。便鉢部１１は、第１吐水口１５の下端面に連続した段部を上部周縁に形成し、その上面を洗浄水が流れるリム通水路１６を有している。水洗式便器は、便器洗浄を実行すると、第１吐水口１５及び第２吐水口から洗浄水が吐水される。水洗式便器は、第１吐水口１５から吐水された洗浄水が、リム通水路１６に沿って流れつつ、徐々に便鉢部１１の下方へ流下するため、平面視で便鉢部１１内に旋回流が形成される。
【００１７】
便器排水路１２は便鉢部１１の下流側に連通している。便器排水路１２は、便鉢部１１の下部に連通し、後方に向けて下方に傾斜した第１下降流路１２Ａと、第１下降流路１２Ａの下流側に連通し、後方に向けて上方に傾斜した上昇流路１２Ｂと、上昇流路１２Ｂの下流側に連通し、鉛直下方に延びた第２下降流路１２Ｃとを有している。便器本体１０は、便鉢部１１の下部と、第１下降流路１２Ａと、上昇流路１２Ｂとによって、水封部を形成している。
【００１８】
便器本体１０の上面部１３は便鉢部１１の上端周縁に略水平方向に拡がっている。上面部１３は便鉢部１１の上端周縁形状よりも僅かに小さい略楕円形状に形成した開口部１３Ａを有している。この開口部１３Ａが便鉢部１１の上方に位置しており、便鉢部１１の上方を開口している。上面部１３は、便鉢部１１の前端から便鉢部１１の上端周縁の左右幅が最大となった位置まで、外縁が便鉢部１１の上端周縁に沿った形状である。上面部１３は、便鉢部１１の左右幅が最大となった位置から後方において、左右外縁が略平行に延びている。上面部１３は後端縁が便鉢部１１より後方で左右方向に直線状に延びている。
【００１９】
便器本体１０の外周壁部１４は、便鉢部１１の前端から便鉢部１１の上端周縁の左右幅が最大となった位置まで、便鉢部１１の上端周縁部から下方に延びた前壁部１４Ａを有している。また、外周壁部１４は、前壁部１４Ａの左右後端の夫々に連続し、略平行に後方に延びた左右壁部（図示せず）を有している。さらに、外周壁部１４は、左右壁部の夫々の後端に連続した後壁部１４Ｂを有している。このように、外周壁部１４は便鉢部１１及び便器排水路１２を囲むように形成されている。また、便器本体１０は上面部１３の後端縁より後方で外周壁部１４の左右壁部及び後壁部１４Ｂに囲まれた収納空間Ｓ１を形成している。便器本体１０は、外周壁部１４の左右壁部及び後壁部１４Ｂの内壁面であって、高さ方向の中間位置から内側に拡がり、便器排水路１２の外周面に連続した中間壁部１７を有している。便器本体１０は、中間壁部１７によって、製造過程における便器排水路１２の変形を防止している。
【００２０】
排水連結管３０は床面Ｆに固定されている。排水連結管３０は、上流端開口が便器本体１０の便器排水路１２の第２下降流路１２Ｃの排出口１２Ｄに連通しており、下流端開口が床面Ｆに引き出された排水管９０の流入口に連通している。
【００２１】
便座装置５０は、局部洗浄装置等を収納する収納ケース５１と、収納ケース５１に回動自在に軸支された便座及び便蓋５２とを有している。収納ケース５１は、便器本体１０の後部に形成した収納空間Ｓ１の上方を塞ぐように、便器本体１０の後部上に固定されている。便座及び便蓋５２は、便鉢部１１の上方に位置する倒伏状態と、収納ケース５１の軸部を中止に回動して起立した起立状態との間を回動自在である。
【００２２】
便器洗浄タンク７０は、図１及び図２に示すように、第１タンク本体７１、第２タンク本体７２、連通路７３、給水路７４、電磁開閉弁７５、吐水路７６、電動ポンプ７７、及び吐水ノズル７８を備えている。第１タンク本体７１は便器本体１０の中間壁部１７より上方の収納空間Ｓ１内に配置されている。第１タンク本体７１は天井面に空気が通過する通気口７１Ａを設けている。第１タンク本体７１は、通気口７１Ａに連通しており、天井面を形成する天井板７１Ｂより上方に突出した円筒状のフィルター部７９を有している。フィルター部７９は側面に複数のスリットを形成している。フィルター部７９は、通気口７１Ａを介して第１タンク本体７１内に空気を流入出させることができ、かつ虫等が第１タンク本体７１内に入り込むことを防止することができる。第１タンク本体７１は内部にフロートスイッチ８０を有している。フロートスイッチ８０は第１タンク本体７１内の水位が設定水位に上昇すると検知信号を発信し、後述する給水路７４に設けた電磁開閉弁７５が閉弁する。これによって、給水路７４から第１タンク本体７１及び第２タンク本体７２への洗浄水の流入が停止する。第１タンク本体７１は下方に延びた円筒状の第１連結部７１Ｃを有している。第１連結部７１Ｃは、後述する第２タンク本体７２から上方に延びた円筒状の第２連結部７２Ｃ内に挿入され、第２連結部７２Ｃと共に第１タンク本体７１と第２タンク本体７２を連通する連通路７３を形成している。
【００２３】
第２タンク本体７２は、便器本体１０の中間壁部１７より下方であって、便鉢部１１及び便器排水路１２の下方空間Ｓ２及び収納空間Ｓ１内に配置されている。つまり、第２タンク本体７２は第１タンク本体７１よりも下方に位置している。第２タンク本体７２は、上述したように、連通路７３によって、第１タンク本体７１に連通している。第２タンク本体７２は底面に開口した流入口７２Ａと流出口７２Ｂとを有している。流出口７２Ｂは連通路７３を構成する第１連結部７１Ｃよりも流路面積が小さく形成されている。このため、流出口７２Ｂは連通路７３よりも流路抵抗が大きく、連通路７３を通過することができる洗浄水の流量を流出口７２Ｂから流出する洗浄水の最大流量よりも多くすることができる。第１タンク本体７１及び第２タンク本体７２は、洗浄水の貯留水位以下の外周面に結露が生じることを防止するために、防露材８１によって覆われている。
【００２４】
流入口７２Ａは給水路７４が連通している。給水路７４は上流側が給水源に連通している。便器洗浄タンク７０は、給水路７４の途中に電磁開閉弁７５を設けている。便器洗浄タンク７０は、電磁開閉弁７５が開弁すると、洗浄水が給水路７４から流入口７２Ａを介して第２タンク本体７２内に流入し、電磁開閉弁７５が閉弁すると、流入口７２Ａから第２タンク本体７２内への洗浄水の流入が停止する。
【００２５】
流出口７２Ｂは吐水路７６が連通している。便器洗浄タンク７０は吐水路７６の下流端に電動ポンプ７７の入水口を連通している。便器洗浄タンク７０は電動ポンプ７７の出水口に吐水ノズル７８の上流端を連通している。吐水ノズル７８は途中で分岐している。電動ポンプ７７が駆動することによって、吐水ノズル７８の一方の先端から吐水された洗浄水は便器本体１０の第１吐水口１５から便鉢部１１内に吐水され、他方の先端から吐水された洗浄水は便器本体１０の第２吐水口から便鉢部１１内に吐水される。
【００２６】
このように構成された水洗式便器は次に示すように便器洗浄を実行する。
【００２７】
便器洗浄を実行する前、便器洗浄タンク７０は、図３に示すように、第１タンク本体７１内の水位が設定水位で洗浄水を第１タンク本体７１及び第２タンク本体７２内に貯留しており、電磁開閉弁７５が閉弁し、電動ポンプ７７が停止した状態、つまり、便器洗浄の待機状態になっている。
【００２８】
この状態で水洗式便器の使用者等が図示しない便器洗浄ボタンを操作すると、電動ポンプ７７が駆動し、便器洗浄が開始される。電動ポンプ７７が駆動すると、第１タンク本体７１及び第２タンク本体７２に貯留した洗浄水が流出口７２Ｂから吐水路７６に流出し、電動ポンプ７７、吐水ノズル７８を介して便鉢部１１の第１吐水口１５及び第２吐水口から便鉢部１１内に洗浄水が吐水される。このようにして、水洗式便器は便器本体１０に洗浄水の供給を開始する。
【００２９】
この際、便器洗浄タンク７０は、第２タンク本体７２の流出口７２Ｂが連通路７３よりも流路面積が小さいため流出口７２Ｂが連通路７３よりも流路抵抗が大きく、連通路７３を通過することができる洗浄水の流量が流出口７２Ｂから流出する洗浄水の最大流量よりも多い。このため、流出口７２Ｂから流出する第２タンク本体７２内の洗浄水の減少に応じて充分な流量で連通路７３を介して洗浄水を第２タンク本体７２内に補充することができる。よって、便器洗浄タンク７０は第１タンク本体７１内の洗浄水が連通路７３内に強力に引き込まれないため、図４及び図５に示すように、第１タンク本体７１内の水位が低下しても、第１タンク本体７１内の水面が連通路７３の上方で局所的に低下することがなく、第１タンク内の空気が第１タンク内の洗浄水と共に連通路７３内に引き込まれないため、ボコボコという異音が発生しない。
【００３０】
電動ポンプ７７が駆動し、設定時間が経過すると、設定水量の洗浄水が便器本体１０に供給され、電動ポンプ７７が停止する。すると、給水路７４に設けられた電磁開閉弁７５が開弁し、図６に示すように、第２タンク本体７２の流入口７２Ａから洗浄水が第２タンク本体７２内に流入し始める。流入口７２Ａが第２タンク本体７２の底面に開口しているため、洗浄水が第２タンク本体７２の底面から湧き出るように第２タンク本体７２内に流入する。このように、便器洗浄タンク７０は、第２タンク本体７２内の上部から洗浄水が流入するものではないため、第２タンク本体７２内に洗浄水が流入する際に洗浄水の飛散を抑制し、洗浄水の流入音を小さくすることができる。
【００３１】
さらに、第２タンク本体７２内に洗浄水が流入すると、図７に示すように、第２タンク本体７２内の水位が上昇する。そして、第２タンク本体７２が洗浄水で満水になると、図８に示すように、連通路７３を介して第１タンク本体７１内に洗浄水が流入する。第２タンク本体７２及び第１タンク本体７１の水位が上昇するに伴い、第２タンク本体７２内及び第１タンク本体７１内の空気は第１タンク本体７１に設けた通気口７１Ａを介して外部に排出される。このため、この便器洗浄タンク７０は、第１タンク本体７１内の洗浄水が設定水位になるまで、スムーズに洗浄水を貯留することができる。
【００３２】
したがって、実施例の便器洗浄タンク７０は、連通路７３で連結した上下に位置する第１タンク本体７１及び第２各タンク本体７２内に洗浄水を貯留する際の異音の発生を防止することができる。
【００３３】
第１タンク本体７１内の水位が設定水位になると、フロートスイッチ８０が検知信号を発信し、給水路７４に設けた電磁開閉弁７５が閉弁して流入口７２Ａから第２タンク本体７２内への洗浄水の流入が停止する。これによって、便器洗浄タンク７０は、図３に示すように、便器洗浄の待機状態に復帰し、便器洗浄が終了する。
【００３４】
本発明は上記記述及び図面によって説明した実施例に限定されるものではなく、例えば次のような実施例も本発明の技術的範囲に含まれる。
（１）実施例では、流入口が第２タンク本体の底面に開口して設けられたが、上方から第２タンク本体内に挿入した管部材を配置し、この管部材の下端開口を流入口として第２タンク本体内に洗浄水を流入させてもよい。
（２）実施例では、流入口が第２タンク本体の底面に開口して設けられたが、第２タンク本体の底面より上方に流入口を設けてもよい。
（３）実施例では、第２タンク本体を便鉢部及び便器排水路の下方空間に配置したが、便器本体の外周壁部内の他の空いた空間に配置してもよい。
（４）実施例では、流出口が連通路よりも流路面積が小さいが、流出口が連通路よりも流路面積が大きくてもよい。
（５）実施例では、便器本体に洗浄水を供給する際、連通路を通過することができる洗浄水の流量が流出口から流出する洗浄水の最大流量よりも多いが、便器本体に洗浄水を供給する際、連通路を通過することができる洗浄水の流量が流出口から流出する洗浄水の最大流量よりも少なくてもよい。
（６）実施例では、便器洗浄タンクが第１タンク本体と第２タンク本体を別々に設け、第１タンク本体と第２タンク本体を連通路で連通させていたが、単一のタンク内の一部をくびれさせて連通路とし、その両側を第１タンク本体及び第２タンク本体とする等、第１タンク本体及び第２タンク本体を一体に成形してもよく、様々な形態で第１タンク本体と第２タンク本体を構成し得る。
【符号の説明】
【００３５】
１０…便器本体
１１…便鉢部
７０…便器洗浄タンク
７１…第１タンク本体
７１Ａ…通気口
７２…第２タンク本体
７２Ａ…流入口
７２Ｂ…流出口
７３…連通路
【図１】
2014196634.tif 000003
【図２】
2014196634.tif 000004
【図３】
2014196634.tif 000005
【図４】
2014196634.tif 000006
【図５】
2014196634.tif 000007
【図６】
2014196634.tif 000008
【図７】
2014196634.tif 000009
【図８】
2014196634.tif 000010